(57)【要約】【課題】  ＭＩＭ素子などの容量性負荷の電子放出素子を用いて線順次駆動を行うディスプレイ装置における補色残像を低減する駆動方法と回路、及びディスプレイ装置を提供する。【解決手段】  ｍ本の行配線とｎ本の列配線との交差部に、（ｍ×ｎ）個のＭＩＭ電子放出素子をマトリクス状に配置し、当該電子放出素子に対向して蛍光体が配置された表示パネルを走査駆動するため、ｍ本の行配線のうち、非選択期間におけるｍ−１本の列配線に対し、少なくとも２値の電圧を交互に選択してなる電圧波形を加え、もって、前記容量性負荷の電子放出素子内に蓄積された電荷を強制的に引き抜くことにより、電荷の早期開放を行い、残像を低減する。【選択図】  図１
2008052092.tif 000002
【特許請求の範囲】
【請求項１】
ｍ本の行配線とｎ本の列配線との交差部に、（ｍ×ｎ）個の容量性負荷の電子放出素子をマトリクス状に配置し、当該電子放出素子に対向して蛍光体が配置された表示パネルを走査駆動するための駆動方法であって、前記ｎ本の列配線に対して映像信号に基づく駆動信号を列単位で順次加えると同時に、前記ｍ本の行配線に対して行選択信号を順位加える線順次走査方式の走査駆動方法において、
前記ｍ本の行配線のうち、非選択期間におけるｍ−１本の列配線に対し、少なくとも２値の電圧を交互に選択してなる電圧波形を加え、これにより、前記容量性負荷の電子放出素子内に蓄積された電荷を強制的に引き抜くことを特徴とする表示パネルの駆動方法。
【請求項２】
前記請求項１に記載した表示パネルの駆動方法において、前記容量性負荷の電子放出素子は、ＭＩＭ（金属−絶縁層−金属）型の電子放出素子であることを特徴とする表示パネルの駆動方法。
【請求項３】
前記請求項１に記載した表示パネルの駆動方法において、前記蓄積電荷を強制的に引き抜くための２値の電圧を交互に選択してなる電圧波形の印加により、当該素子に対して正のバイアスと負のバイアスを交互に繰り返し、これにより、前記容量性負荷の電子放出素子内に蓄積された電荷を強制的に引き抜くことを特徴とする表示パネルの駆動方法。
【請求項４】
前記請求項３に記載した表示パネルの駆動方法において、前記素子に印加される電圧波形の２値の電圧差を、前記ｎ本の列配線に対して加える駆動信号の略最小値に設定することを特徴とする表示パネルの駆動方法。
【請求項５】
前記請求項１に記載した表示パネルの駆動方法において、前記非選択期間におけるｍ−１本の列配線に対し、その奇数番目の行配線と偶数番目の行配線とで、互いに位相の異なる電圧波形を加えることを特徴とする表示パネルの駆動方法。
【請求項６】
ｍ本の行配線とｎ本の列配線との交差部に、（ｍ×ｎ）個の容量性負荷の電子放出素子をマトリクス状に配置し、当該電子放出素子に対向して蛍光体が配置された表示パネルを走査駆動するための駆動回路であって、
前記表示パネルのｎ本の列配線に接続され、当該ｎ本の列配線に対し、映像信号に基づく駆動信号を列単位で順次加えるデータドライバ回路と、
前記表示パネルのｍ本の行配線に接続され、当該ｍ本の行配線に対し、走査信号に基づく行選択信号を順次加る走査駆動回路とを備えており、
前記走査駆動回路は、前記行配線の非選択期間におけるｍ−１本の列配線に対し、少なくとも２値の電圧を交互に選択して印加する手段を具備したことを特徴とする表示パネルの駆動回路。
【請求項７】
前記請求項６に記載した表示パネルの駆動回路において、前記容量性負荷の電子放出素子は、ＭＩＭ（金属−絶縁層−金属）型の電子放出素子であることを特徴とする表示パネルの駆動回路。
【請求項８】
前記請求項６に記載した表示パネルの駆動回路において、前記２値の電圧を交互に選択して印加する手段を、複数の電源と、当該電源に選択的に接続されるスイッチング素子により構成したことを特徴とする表示パネルの駆動回路。
【請求項９】
ｍ本の行配線とｎ本の列配線との交差部に、（ｍ×ｎ）個の容量性負荷の電子放出素子をマトリクス状に配置し、当該電子放出素子に対向して蛍光体が配置された表示パネルと、
前記表示パネルのｎ本の列配線に接続され、当該ｎ本の列配線に対し、駆動信号を列単位で順次加えるデータドライバ回路と、
前記表示パネルのｍ本の行配線に接続され、当該ｍ本の行配線に対し、行選択信号を順次加える走査駆動回路と、
映像信号を入力すると共に、当該入力した映像信号に基づいて、前記データドライバ回路と前記走査駆動回路に対してタイミング信号を出力するタイミング制御装置とを備えたディスプレイ装置において、
前記走査駆動回路は、前記行配線の非選択期間におけるｍ−１本の列配線に対し、少なくとも２値の電圧を交互に選択して印加し、もって、前記ＭＩＭ方式の電子放出素子内に蓄積された電荷を強制的に引き抜くことを特徴とするディスプレイ装置。
【請求項１０】
前記請求項６に記載したディスプレイ装置において、前記容量性負荷の電子放出素子は、ＭＩＭ（金属−絶縁層−金属）型の電子放出素子であることを特徴とするディスプレイ装置。
【発明の詳細な説明】
【技術分野】
【０００１】
本発明は、電子源として、例えば、ＭＩＭ方式の電子放出素子に代表される、所謂、容量性負荷の電子放出素子を用い、マトリクス方式で画素選択を行い、かつ、線順次駆動を行うディスプレイ装置の駆動方法と駆動回路、更には、それを採用したディスプレイ装置に関する。
【背景技術】
【０００２】
マトリクス状に配置された複数個の電子源を有し、選択された当該電子源から引き出される電子ビームがマトリクス状に配置された蛍光体を励起して発光することにより映像を表示する平面ディスプレイデバイス（装置）は、既に知られている。かかるデバイスでは、その電子源を構成する方式として、例えば、カーボンナノチューブ（ＣＮＴ）、スピント素子を用いる方法、表面伝導型放出素子（ＳＣＥ）を用いる方法、更には、金属−絶縁層−金属型放出素子（ＭＩＭ）を用いる方法などが既に知られている。なお、これらは、単純マトリクス構造の画像表示装置であり、「ＦＥＤ」もしくは「ＳＥＤ」と呼ばれている。これらの表示デバイスでは、所謂、「線順次走査」と呼ばれる走査方式が一般的に行われており、この線順次走査によれば、走査配線の選択ラインにおいては選択パルスが入力信号の水平期間保持され、各画素は水平期間内でパルス幅もしくは振幅が制御されて各々の発光輝度が決められる。なお、かかる線順次走査は、例えば、以下の特許文献１や特許文献２に、その一例が示されている。
【０００３】
【特許文献１】特開平９−２９７５５６号公報（第１８頁、第１図）
【特許文献２】特開２００３−５６９３号公報（第６頁、第１図）
【発明の開示】
【発明が解決しようとする課題】
【０００４】
一般に、電子源としてＭＩＭ方式の電子放出素子を用いる場合、線順次走査方式では、各画素は、対応する選択走査ラインにおいて、１回／フレームの選択が行われる。そのため、例えば、添付の図６（ａ）に示す様に、表示画面内において、グレーの背景に高輝度の白文字「ＡＢＣ」が表示されており（表示３１）、その後、当該グレーの背景全体を白色表示とする信号が入力された状態になった場合には、以下の現象が生じる。即ち、当該グレーの背景全体を白色表示とする信号が入力された状態になっても、図６（ｂ）に示す様に、白色を背景にして「ＡＢＣ」と言う文字がやや暗い白色で表示（表示３３）され、その後、徐々に文字と背景との間の輝度差が緩和され、そして、数秒後に全面が白色になると言う現象が発生する。
【０００５】
かかる現象は、補色残像と呼ばれる。なお、かかる現象を補色残像と呼ぶ理由としては、高輝度の白文字を表示した後は黒色（白の補色）として、高輝度の緑文字表示後はマゼンタ色（緑の補色）として、高輝度の青文字の表示後は黄色（青の補色）として表示（知覚）されることによる。また、かかる補色残像は、表示輝度が高い（明るい）程、又は、表示時間が長い程、顕著である。
【０００６】
そこで、本発明では、上述した従来技術における問題点に鑑みてなされたものであり、具体的には、上述したように、電子源としてＭＩＭ方式の電子放出素子に代表される容量性負荷の電子放出素子を用い、マトリクス方式で画素選択を行い、かつ、線順次駆動を行うディスプレイ装置における補色残像を低減する駆動回路及びそれを用いたディスプレイ装置を提供することを目的とする。
【課題を解決するための手段】
【０００７】
そして、本発明では、補色残像が発生する主原因は、ＭＩＭを線順次走査により所定の画素に電圧が加えられるとＭＩＭ内部にゆっくりと電荷が蓄積され、黒画面表示などの場合には電荷が殆ど蓄積されずに、長い時定数で電荷が電極を通じて排出される事にあるとの発明者等による認識に基づくものであり、走査ラインの非選択期間（行選択期間以外の期間）において、ＭＩＭ素子に電流が流れない範囲で２種類の電圧源を交互に選択する電位選択回路を設け、強制的に電圧源側に電荷を引き抜く事により、電荷の早期開放を行うものである。
【０００８】
従って、本発明によれば、上記の目的を達成するため、まず、ｍ本の行配線とｎ本の列配線との交差部に、（ｍ×ｎ）個の容量性負荷の電子放出素子をマトリクス状に配置し、当該電子放出素子に対向して蛍光体が配置された表示パネルを走査駆動するための駆動方法であって、前記ｎ本の列配線に対して映像信号に基づく駆動信号を列単位で順次加えると同時に、前記ｍ本の行配線に対して行選択信号を順位加える線順次走査方式の走査駆動方法において、前記ｍ本の行配線のうち、非選択期間におけるｍ−１本の列配線に対し、少なくとも２値の電圧を交互に選択してなる電圧波形を加え、これにより、前記容量性負荷の電子放出素子内に蓄積された電荷を強制的に引き抜く表示パネルの駆動方法が提供される。
【０００９】
また、本発明では、前記に記載した表示パネルの駆動方法において、前記容量性負荷の電子放出素子は、ＭＩＭ（金属−絶縁層−金属）型の電子放出素子であることが好ましく、又は、前記蓄積電荷を強制的に引き抜くための２値の電圧を交互に選択してなる電圧波形の印加により、当該素子に対して正のバイアスと負のバイアスを交互に繰り返し、これにより、前記容量性負荷の電子放出素子内に蓄積された電荷を強制的に引き抜くことが好ましい。或いは、前記に記載した表示パネルの駆動方法において、前記素子に印加される電圧波形の２値の電圧差を、前記ｎ本の列配線に対して加える駆動信号の略最小値に設定することが好ましく、更には、前記非選択期間におけるｍ−１本の列配線に対し、その奇数番目の行配線と偶数番目の行配線とで、互いに位相の異なる電圧波形を加えることが好ましい。
【００１０】
更に、本発明によれば、やはり上記の目的を達成するため、ｍ本の行配線とｎ本の列配線との交差部に、（ｍ×ｎ）個の容量性負荷の電子放出素子をマトリクス状に配置し、当該電子放出素子に対向して蛍光体が配置された表示パネルを走査駆動するための駆動回路であって、前記表示パネルのｎ本の列配線に接続され、当該ｎ本の列配線に対し、映像信号に基づく駆動信号を列単位で順次加えるデータドライバ回路と、前記表示パネルのｍ本の行配線に接続され、当該ｍ本の行配線に対し、走査信号に基づく行選択信号を順次加る走査駆動回路とを備えており、前記走査駆動回路は、前記行配線の非選択期間におけるｍ−１本の列配線に対し、少なくとも２値の電圧を交互に選択して印加する手段を具備した表示パネルの駆動回路が提供される。
【００１１】
また、本発明では、前記に記載した表示パネルの駆動回路において、前記容量性負荷の電子放出素子は、ＭＩＭ（金属−絶縁層−金属）型の電子放出素子であることが好ましく、又は前記２値の電圧を交互に選択して印加する手段を、複数の電源と、当該電源に選択的に接続されるスイッチング素子により構成することが好ましい。
【００１２】
加えて、本発明によれば、やはり上記の目的を達成するため、ｍ本の行配線とｎ本の列配線との交差部に、（ｍ×ｎ）個の容量性負荷の電子放出素子をマトリクス状に配置し、当該電子放出素子に対向して蛍光体が配置された表示パネルと、前記表示パネルのｎ本の列配線に接続され、当該ｎ本の列配線に対し、駆動信号を列単位で順次加えるデータドライバ回路と、前記表示パネルのｍ本の行配線に接続され、当該ｍ本の行配線に対し、行選択信号を順次加える走査駆動回路と、映像信号を入力すると共に、当該入力した映像信号に基づいて、前記データドライバ回路と前記走査駆動回路に対してタイミング信号を出力するタイミング制御装置とを備えたディスプレイ装置において、前記走査駆動回路は、前記行配線の非選択期間におけるｍ−１本の列配線に対し、少なくとも２値の電圧を交互に選択して印加し、これにより、前記ＭＩＭ方式の電子放出素子内に蓄積された電荷を強制的に引き抜くディスプレイ装置が提供される。なお、この場合においても、前記容量性負荷の電子放出素子は、ＭＩＭ（金属−絶縁層−金属）型の電子放出素子であることが好ましい。
【発明の効果】
【００１３】
上記からも明らかなように、本発明になる表示パネルの駆動方法と駆動回路、更には、それを用いたディスプレイ装置によれば、電荷の早期開放を行う事により、白文字表示状態から全面白色表示の状態に画面が変わった直後であっても補色残像が軽減され、高画質な映像を表示することが可能となるという優れた効果を発揮する。
【発明を実施するための最良の形態】
【００１４】
以下、本発明になる実施の形態について、添付の図面を参照しながら詳細に説明する。なお、以下の実施例は、本発明を、ＭＩＭ方式の電子放出素子を電子源としてマトリクス配置された画素を、線順次駆動する画像表示（ディスプレイ）装置に適用したものである。
【００１５】
まず、添付の図１から図６は、本発明の実施の形態になる、電子源としてＭＩＭ方式の電子放出素子を用い、マトリクス方式で画素選択を行い、かつ、線順次駆動を行うディスプレイ装置を示す図である。この図において、パネル１は、例えば、パッシブマトリクス方式の映像表示（ディスプレイ）装置であり、その表示面を形成するため、多数のデータ線４８０、４８０…と共に多数の走査電極線１８０、１８０…を有している。
【００１６】
そして、上記の走査電極線１８０、１８０…には、複数の走査ドライバ３、４により構成された走査駆動回路２が、他方、上記のデータ線４８０、４８０…には、やはり複数のデータドライバ６、７、８により構成されたデータ駆動回路５が接続されている。より具体的には、この図１では、上記パネル１は、水平画素数が１２８０ＲＧＢであり、垂直画素数が７２０であり、画素数１２８０ＲＧＢ×７２０の例を示しており、この場合において、データ駆動回路５は、４８０個の出力を有するＬＳＩを８個（データドライバ（１）〜（８））使用し、他方、走査駆動回路２は、１８０個の出力を有するＬＳＩを４個（走査ドライバ（１）〜（４））使用した例を示している。
【００１７】
また、図２にも示すように、上記パネル１のアノード端子には、例えば、１０ｋＶの高圧発生回路９が接続されている。また、映像信号は、タイミングコントローラ１０に入力されており、当該タイミングコントローラ１０から、上記走査駆動回路２及びデータ駆動回路５に、それぞれ、最適なタイミングの信号とデータが送られる。より具体的には、データ駆動回路５は、パネル１の１ラインのデータを１水平期間保持し、１水平周期毎にデータを書き換える。他方、走査駆動回路２は、順次、垂直方向にパネル１の走査電極線を選択する。例えば、選択時には、１２Ｖの電圧を加え、非選択時には、６Ｖの電圧に設定するなどの方法を用いる。これによれば、ある走査電極線が選択された場合、パネル１のアノード端子には上記高圧回路９からの１０ｋＶの高電圧が加えられているため、データ駆動回路５からの出力データに応じて、当該走査電極線上の各画素で電子放出が行われ、電子励起により蛍光体が発光することとなる。即ち、１水平ラインの映像が表示される。また、上記走査駆動回路２により、１フレーム分の水平ラインが、順次、選択され、これにより１フレームの映像が表示されることとなる。
【００１８】
続いて、上記にその構成を説明したパネル１における走査の方法について、添付の図２〜図５を用いて説明する。まず、図２は、上記パネル１の詳細を模式的に示している。また図３は、上記図２におけるパネルの１画素を取り出し、その断面を模式的に示したものである。更に、図４は、１フレームの期間における走査駆動回路２からの駆動波形（データドライバ波形）、及び、データ駆動回路５からの駆動波形（走査ドライバ波形）を模式的に示した波形図である。そして、図５は、上記図３に示した１画素における電圧電流特性の一例を模式的に示したものである。
【００１９】
また、上記の図２において、図中の参照符号６０は下部ガラス基板を示しており、６１〜６４はデータ線（列選択線）を、６５〜６８は走査電極線（行選択線）を、６９〜８４は蛍光体を、８７は走査電極線からデータ線に流れる画素毎の電流を、それぞれ、示している。また、参照符号８５は上部ガラス基板を、８６はガラス基板の内面に塗布された高圧電極を、それぞれ、示している。加えて、図中において、データ線６１〜６４の末端（図２の下端）に付した「Ｎｏ．Ｓ１」〜「Ｎｏ．３８４０」は、その行の番号を、そして、走査電極線６５〜６８の末端（図２の右端）に付した「Ｎｏ．Ｓ１」〜「Ｎｏ．Ｓ７２０」は、その列の番号をそれぞれ表すものである。
【００２０】
いま、上記図２に示すパネル１において、添付の図４に示す駆動波形が、走査駆動回路２、データ駆動回路５に加わっているとする。例えば、その２行目（Ｎｏ．Ｓ２）に映像信号を表示する場合は、データ線６１〜６４に所定の輝度情報の電圧（図４ではＶｓｉｇ）が加わり、図４における走査ドライバ波形２３で示される選択期間中（図中、電圧Ｖｔｈの期間）において、走査電極線６６が選択状態になる。
【００２１】
この選択状態におけるデータ線１列（Ｎｏ．１）と走査電極線２行（Ｎｏ．Ｓ２）とが交差する画素の断面を、添付の図３に示す。なお、この図３は、上述したＭＩＭ方式の電子源（電子放出素子）を採用した画素（ＭＩＭ画素）である。そして、走査電極線６６とデータ線６１の間に数Ｖ〜１０Ｖの電圧が加わると、ＭＩＭ画素には、矢印８７で示す電流（以下、ＭＩＭ電流と呼ぶ）が、その絶縁層５９を透過して流れる。このように、ＭＩＭ電流８７が流れる事により、絶縁層５９は、その表面に電子が発生する状態となり、同時に、高圧電源９による電界によって電子を加速する作用により、電子ビーム８８が得られることとなる。そして、この電子ビーム８８が蛍光体７３を励起する事により、電極８６を通して、蛍光体７３からの発光が得られる。なお、この蛍光体７３からの発光強度は、電子ビーム８８の電流密度に略比例し、また、当該電流密度はＭＩＭ電流８７に比例するため、高輝度発光時には、ＭＩＭ電流８７は多く、他方、低輝度発光時には、このＭＩＭ電流８７は少なくなり、もって、画像表示を可能としている。
【００２２】
添付の図５は、上記のＭＩＭ画素において、走査電極線６６とデータ線６１の間に加わる電圧、すなわち駆動電圧（Ｖｐｐ）を横軸に、ＭＩＭ電流８７を縦軸にとった場合の電圧電流特性の一例を示している。この図５における特性線１１は、上記ＭＩＭ画素を構成する素子の特性の一例を示している。この図の特性からも明らかなように、素子は、その駆動電圧が略６Ｖ付近まで上昇する間、その電流値が数１０ｐＡと小さく、かつ、略一定値を示している。その後、駆動電圧が６Ｖを越えて略９Ｖ付近に達する間、その電流値が大きく変化し、もって、画像の階調表示を行う事が出来る。なお、この図５においては、６Ｖを境に電流特性が急に立ち上がることから、この電圧を「閾値電圧Ｖｔｈ」と呼び、かつ、この閾値電圧Ｖｔｈ以上で素子電流が流れることから、この範囲の電圧を、上記データ駆動回路５におけるデータドライバ駆動電圧（Ｖｓｉｇ）として用いる。具体的には、Ｖｔｈ以下の電圧振幅を走査ドライバの選択電圧として扱い、即ち、上記図４に示す様に、走査ドライバ波形として、その選択期間において略Ｖｔｈの電圧値を持つ波形２２、２３、２４によって順次走査することにより、所定のラインに対応する映像信号を表示する事が可能となる。
【００２３】
しかしながら、上述した単純な線順次走査により映像信号を表示した場合には、前述した図６（ａ）及び（ｂ）にも示したように、補色残像が発生してしまう。なお、本発明者等による種々の検討によれば、かかる補色残像が発生する主原因として、線順次走査により所定の画素に電圧が加えられると、ＭＩＭ素子の内部にはゆっくりと電荷が蓄積される。他方、黒画面表示などの場合には、電荷が殆ど蓄積されない状態となる。その後、蓄積された電荷が長い時定数で電極を通じて排出され、これが、補色残像が発生する原因となるものと考えられる。
【００２４】
そこで、本発明では、上述した発明者等による検討結果に基づいて、走査ラインの非選択期間（行選択期間以外の期間）において、ＭＩＭ素子内に蓄積された電荷を強制的に引き抜くことが提案される。より具体的には、当該ＭＩＭ素子に電流が流れない範囲の２種類（２値）の電圧源を交互に選択して印加するための電位選択回路を設け、もって、ＭＩＭ素子内に蓄積された電荷を強制的に電圧源側に引き抜く事により、電荷の早期開放を行うものである。なお、以下では、走査ラインの選択及び非選択を行うと共に、非選択期間においてＭＩＭ素子内に蓄積された電荷を強制的に引き抜くための走査ドライバ波形（電圧）の具体例と共に、そのための走査駆動回路について詳細に説明する。
【実施例１】
【００２５】
特に、この実施例１では、走査ドライバ波形を、添付の図７に示すような波形とすることにより、残像現象の低減を図るものである。なお、この図７では、上記走査電極線Ｓ１〜Ｓ３に印加する波形を符号３５〜３７で示しており、また、その期間（幅）を符号３８〜４０で示している。
【００２６】
ここで、上記期間（幅）３８は、走査電極線Ｓ１のライン選択期間（図４における走査ドライバ波形Ｎｏ．Ｓ１の波高値Ｖｔｈ部分）に相当し、上記期間（幅）３９は、走査電極線Ｓ２のライン選択期間（走査ドライバ波形Ｎｏ．Ｓ２の波高値Ｖｔｈ部分）に相当し、上記期間（幅）４０は、走査電極線Ｓ３のライン選択期間（走査ドライバ波形Ｎｏ．Ｓ３の波高値Ｖｔｈ部分）に相当している。また、この期間の電圧値Ｖｓｅｌは、基準電圧Ｖｒｅｆに対して上記閾値電圧Ｖｔｈだけ高い電圧である（Ｖｓｅｌ＝Ｖｒｅｆ＋Ｖｔｈ）。
【００２７】
一方、２種類の電圧源を交互に選択して印加する交互パルス発生期間は、符号４１〜４４で示されており、この期間においては、図からも明らかなように、上記の基準電圧Ｖｒｅｆと、それよりも低い電圧Ｖｉｎｖの２種類の電圧が、交互に、選択的に発生される。なお、この低い電圧Ｖｉｎｖの電位は、上記データドライバ駆動電圧として使用する電圧（データドライバ駆動電圧）Ｖｓｉｇの略最小値（Ｖｒｅｆ−（Ｖｓｉｇの電圧のｐ−ｐ値に相当する電圧値））に設定することが好ましい。
【００２８】
上述した２種類の電圧を印加することによれば、走査電極線Ｓ１では、期間４１、４３においては、ＭＩＭ素子への駆動電圧は、データドライブ波形（電圧）が黒色に相当（＝Ｖｒｅｆ）する場合にはゼロバイアスに、一方、データドライブ波形（電圧）が白色に相当（＝Ｖｉｎｖ）する場合には正のバイアスとなる。また、期間４２、４４においては、ＭＩＭ素子への駆動電圧は、データドライブ電圧が黒色に相当（＝Ｖｒｅｆ）する場合には負のバイアス、他方、データドライブ電圧が白色に相当（＝Ｖｉｎｖ）する場合には、ゼロバイアスとなる。従って、映像の非選択期間においては、正のバイアス状態と負のバイアス状態が交互に繰り返されるため、ＭＩＭ素子における電荷の強制的な引抜が可能となり、補色残像を低減することが可能となる。
【００２９】
ところで、このとき、特に、上記映像信号表示における選択期間３８〜４０においては、上記走査電極線の電圧値が変化（変動）すると、ＭＩＭ素子への充放電時定数が変化してしまい、輝度フリッカを生じる可能性がある。そこで、これを回避するために、例えば、図にも示すように、走査電極線の奇数ラインＳ１、Ｓ３と、その偶数ラインＳ２、Ｓ４とにおける、上記２種類の電圧であるＶｒｅｆとＶｉｎｖの位相関係（即ち、ＶｒｅｆとＶｉｎｖが選択的に現れる位相）を逆にする事によれば、ＭＩＭ素子への充放電時定数を略一定のとすることが出来、もって、輝度フリッカが生じ難い構成とすることが出来る。
【００３０】
更に、添付の図８は、上記の図７に示した走査波形を実現するための走査駆動回路の具体的な回路構成を示すものである。この例では、上記走査駆動回路２は、線順次走査を行うための制御パルスを生成する回路ブロック４５（シフトレジスタと制御ロジック部で構成される）と、それぞれの走査電極線（スキャン線）に対応するスイッチ（ＳＷ）素子４９〜５２と、選択電位（Ｖｓｅｌ）を決定する電圧源４６と、非選択電位（Ｖｒｅｆ）を決定する電圧源４７と、更に、上記Ｖｉｎｖを決定する電圧源４８とから構成されている。なお、上記のＳＷ素子４９〜５２は、上記の３つの電圧値（Ｖｓｅｌ、Ｖｒｅｆ、Ｖｉｎｖ）を選択可能なＳＷ素子であり、回路ブロック４５の制御ロジック部により、走査電極線（スキャン線）Ｎｏ．Ｓ１〜Ｎｏ．Ｓ７２０の順次走査が可能となるように、制御線５３〜５６を用いて水平期間毎に、順次、電圧源４６と電圧源４７、電圧源４８を切り替える動作が行われる。なお、各電圧値Ｖｓｅｌ、Ｖｒｅｆ、Ｖｉｎｖと電圧源４８の電圧Ｖ１、電圧源４７の電圧Ｖ２、電圧源４６の電圧との関係は、Ｖｓｅｌ＝Ｖ１＋Ｖ２＋Ｖ３、Ｖｒｅｆ＝Ｖ１＋Ｖ２、Ｖｉｎｖ＝Ｖ１である。この電圧の関係は、後述する他の実施例における図９、図１１、図１３においても同様である。
【実施例２】
【００３１】
次に、添付の図９は、本発明の第２の実施例になる走査駆動回路２を示す。なお、この図９においても、上記図８と同様の機能素子には同一の参照番号を付して示している。なお、この第２の実施例による走査駆動回路２は、上記図８とは異なり、３値選択可能なＳＷ素子を用いずに、２値（Ｖｒｅｆ、Ｖｉｎｖ）選択型のＳＷを用いた構成としている。そして、本実施例の走査ドライバ２は、線順次走査を行うための制御パルスを生成する回路ブロック４５と、それぞれの走査電極線（スキャン線）に対応するＳＷ素子９３〜１００と、選択電位を決めている電圧源４６と、非選択電位を決めている電圧源４７と、電圧源４８とから構成されている。なお、この第２の実施例になる走査駆動回路２により得られる走査波形は、上記図７と同様である。
【００３２】
上述したように、この第２の実施例になる走査駆動回路２によれば、そのＳＷ素子９３〜９６は２値選択可能なＳＷ素子であり、回路ブロック４５の制御ロジック部により、走査電極線（スキャン線）Ｎｏ．Ｓ１〜Ｎｏ．Ｓ７２０の順次走査が可能となるように、水平期間毎に制御線１０１〜１０４により順次電圧源４６を選択する動作を行う。また、非選択期間では、制御線１０５により２値選択可能なＳＷ素子９７〜１００を並列に制御して走査電極線Ｎｏ．Ｓ１、Ｓ３の奇数ラインと、走査電極線（スキャン線）Ｎｏ．Ｓ２、Ｓ７２０の偶数ラインとでは電圧源選択論理を逆にする事により、非選択期間における交互パルス波形動作を実現する。従って、本実施例でも、非選択期間において、ＭＩＭ素子は、正バイアス状態と負バイアス状態とが交互に繰り返されるため、ＭＩＭ素子における電荷の強制的な引抜きができ、補色残像の低減が可能となる。
【実施例３】
【００３３】
次に、添付の図１０及び図１１は、本発明の第３の実施例になる走査波形と、それを発生するための走査駆動回路とを示している。なお、この図１０においては、やはり、上記図７と同様の波形部分には同一の参照番号を付して示しているが、以下には、上記図７との相違点について説明する。即ち、図１０において、走査波形は、その選択期間３８〜４０、交互パルス期間４１〜４４においては、上記図７と同一である。しかしながら、走査波形は、上記図７とは異なり、走査電極線（スキャン線）Ｎｏ．Ｓ１の選択期間３８の直後では、即ち、図１０において走査電極線（スキャン線）Ｎｏ．Ｓ２の選択期間３９として示されている期間、上記走査電極線Ｎｏ．Ｓ１の非選択期間はＶｉｎｖとしており、また、その後の期間４１、４３においても、やはり、電圧Ｖｉｎｖとなるように設定されている。
【００３４】
また、他の走査電極線（スキャン線）Ｎｏ．Ｓ２、Ｎｏ．Ｓ３においても、上記と同様に、選択期間３９、４０の直後の期間では、Ｖｉｎｖとなるように選択されている。一方、Ｖｒｅｆは、電圧値としては上記図７と同一であるが、但し、図示しないが、適当なインピーダンスを介して電圧源に接続する構成となっている。
【００３５】
上述した第３の実施例になる走査波形を実現するための具値的な回路構成を、添付の図１１に示す。この図１１においても、上記の図８や図９に示したと同一の機能素子には、同一の参照番号を付して示されている。なお、この図１１に示した走査駆動回路２を含む回路構成では、上記図９における２値選択可能なＳＷ素子を用いず、これに代えて、所謂、Ｏｎ／Ｏｆｆスイッチを用いた構成としている。また、走査駆動回路２は、線順次走査を行うための制御パルスを生成する回路ブロック４５、それぞれのスキャン線に対応するＳＷ素子１１０〜１１７、抵抗（Ｒ）１０６〜１０９、論理反転回路１１８、１１９、選択電位を決めている電圧源４６、非選択電位を決めている電圧源４７、及び、電圧源４８から構成されている。
【００３６】
なお、上述の回路構成では、これらのＳＷ素子１１０〜１１３はＯｎ／ＯｆｆＳＷ素子で構成されており、回路ブロック４５の制御ロジック部により、走査電極線（スキャン線）Ｎｏ．Ｓ１〜Ｎｏ．Ｓ７２０の順次走査が可能となるように、水平期間毎に、制御線１２０〜１２３により、順次、電圧源４６を選択する動作が行われる。また、これらの走査電極線（スキャン線）Ｎｏ．Ｓ１〜Ｎｏ．Ｓ７２０は、非選択期間では、抵抗１０６〜１０９を介して電圧源４７に接続されており、そのため、ＳＷ素子１１０〜１１３が開放の場合には、電圧源４７の電位に固定されることとなる。
【００３７】
また、交互パルス期間においては、制御線１２４によりＳＷ素子１１４、１１６を制御し、論理反転回路（ＩＮＶ）１１８、１１９を介してＳＷ素子１１５、１１６を制御する。かかる制御により、電圧源４８の電位選択が可能となり、走査電極線（スキャン線）Ｎｏ．Ｓ１やＮｏ．Ｓ３を含む奇数ラインと、スキャン線Ｎｏ．Ｓ２やＮｏ．Ｓ７２０を含む偶数ラインとは、電圧源の選択理論における位相シフトに対応する。即ち、スキャン線の選択期間中に電圧源４６を選択することから、スキャン線の充電能力は上記図８や図９と同一であるが、他方、スキャン線の電圧を放電するときに抵抗１０６〜１０９を介することにより、その時定数が伸びる。そこで、放電能力を確保するために、スキャン選択の直後においては、上記ＳＷ素子１１４〜１１７をＯｎに制御する事により、上記図１０と同様の動作を実現している。従って、本実施例でも、非選択期間において正バイアス状態と負バイアス状態が交互に繰り返されるため、ＭＩＭ素子における電荷の強制的な引抜ができ、補色残像の低減が可能となる。また、Ｏｎ／ＯｆｆＳＷは素子構成が安価に出来、コスト低減が期待できる。
【実施例４】
【００３８】
更に、添付の図１２及び図１３には、本発明の第４の実施例になる走査波形と、それを発生するための走査駆動回路とを示している。なお、この図１２の走査波形においても、上記図７と同様の部分には同一の番号を付して示している。なお、以下には、この第４の実施例になる走査波形における上記図７との相違点について、主に説明を加える。図の参照番号１２５〜１３０は、選択期間１４３における走査波形を示し、１３１〜１３６は、交互パルス期間１４４における走査波形を示している。そして、図からも明らかなように、この実施例では、交互パルス期間１４４において、スキャン線Ｎｏ．Ｓ１〜Ｎｏ．Ｓ３６０の走査波形は、同一位相で駆動を行い、他方、スキャン線Ｎｏ．Ｓ３６１〜Ｎｏ．Ｓ７２０の走査波形は、そのパルス位相を上記と反転させて駆動を行う方式を採用している。また、図からも明らかなように、映像表示期間１４３においては、線順次走査だけを行い、他方、交互パルス期間１４４においては、非表示期間１４４に集中させる方式としている。
【００３９】
上記図１２に示した第４の実施例になる走査波形を実現するための具値的な回路構成を、添付の図１３に示す。なお、この図１３においても、上記図８、図９と同一の機能素子には、やはり同一の参照番号を付して示している。なお、この図１３に示す回路構成では、図からも明らかなように、走査駆動回路２には、上記図９における２値選択可能なＳＷ素子を用いているが、しかしながら、交互パルス期間は、走査駆動回路２の外部ＳＷ素子１６０、１６１を用いて実施している。走査ドライバ２においては、線順次走査を行うための制御パルスを生成する回路ブロック４５と、それぞれのスキャン線に対応するＳＷ素子１４５〜１４９、選択電位を決めている電圧源４６、非選択電位を決めている電圧源４７、電圧源４８とから構成されている。ＳＷ素子１４５〜１４９は２値選択ＳＷ素子であり、制御ロジック部４５により、スキャン線Ｎｏ．Ｓ１からＮｏ．Ｓ７２０の順次走査が可能となるように水平期間毎に制御線１５２〜１５７により順次、電圧源４６を選択する動作を行う。非選択期間ではスキャン線Ｎｏ．Ｓ１〜Ｓ３６０はＳＷ素子１６０を介して電圧源４７、４８を交互に選択し、スキャン線Ｎｏ．Ｓ３６１〜Ｓ７２０はＳＷ素子１６１を介して電圧源４８、４７を交互に選択する。制御信号は制御線１５８を介して送信され、電圧選択論理が逆となっているために、データドライブ側からの駆動インピーダンスは略一定に保たれており、図１２の動作波形を実現している。
【００４０】
尚、以上に述べた実施例では、ＭＩＭ型の電子放出素子を用いた例で説明を行ったが、マトリクス配置して走査線とデータ線が交差する部分に、容量性負荷の電子源により構成される構造を持つ方式のディスプレイデバイスに適用可能であり、ＦＥＤ、有機ＥＬ、ＭＩＭ液晶表示装置などにおける残像低減手段としても利用可能であることは、当業者にとっては明らかであろう。
【図面の簡単な説明】
【００４１】
【図１】本発明の一実施の形態になるディスプレイ装置における全体構成を示すブロック図である。
【図２】上記ディスプレイ装置のパネルとその駆動回路の構成を示すブロック図である。
【図３】上記ディスプレイ装置のパネルの動作原理説明を説明するため、パネルを構成する１画素を取り出して示した断面図である。
【図４】上記ディスプレイ装置におけるパネルの駆動信号を説明するための信号波形図である。
【図５】上記ディスプレイ装置におけるパネルの画素の動作特性を示す図である。
【図６】上記パネルでの残像現象を説明するための説明図である。
【図７】本発明の第１の実施例になる表示パネルの駆動方法を説明するための動作波形である。
【図８】上記第１の実施例になる表示パネルの駆動方法を実現するための駆動回路の詳細を示すブロック図である。
【図９】上記表示パネルの駆動方法を実現するための、本発明の第２の実施例になる駆動回路の詳細を示すブロック図である。
【図１０】本発明の第３の実施例になる表示パネルの駆動方法を説明するための動作波形である。
【図１１】上記第３の実施例になる表示パネルの駆動方法を実現するための駆動回路の詳細を示すブロック図である。
【図１２】本発明の第３の実施例になる表示パネルの駆動方法を説明するための動作波形である。
【図１３】本発明の第４の実施例になる表示パネルの駆動方法を実現するための駆動回路の詳細を示すブロック図である。
【符号の説明】
【００４２】
１…パネル、２…走査ドライバ、５…データドライバ、９…高圧発生、１０…タイミングコントローラ。
【図１】
2008052092.tif 000003
【図２】
2008052092.tif 000004
【図３】
2008052092.tif 000005
【図４】
2008052092.tif 000006
【図５】
2008052092.tif 000007
【図６】
2008052092.tif 000008
【図７】
2008052092.tif 000009
【図８】
2008052092.tif 000010
【図９】
2008052092.tif 000011
【図１０】
2008052092.tif 000012
【図１１】
2008052092.tif 000013
【図１２】
2008052092.tif 000014
【図１３】
2008052092.tif 000015